(57)【要約】【課題】ストロボの発光面に指がかかっていない場合には撮影ができ、ストロボの発光面に指がかかったときに撮影者に警告を発して撮影の失敗を防ぐカメラを得る。【解決手段】ストロボ１４の発光面が押圧されると、ストロボ１４の底面１４Ｃに設けられたスライド部２６が溝部２８に沿ってレンズ光軸方向の後方に移動することで、プッシュスイッチ２４は押圧されて信号を発信する。この信号に基づいて表示部に警告手段としての警告表示を表示する。【選択図】図１
2007114268.tif 000002
【特許請求の範囲】
【請求項１】
被写体に光を照射するストロボと、
前記ストロボが取り付けられる本体と、
前記ストロボの照射面が押圧されたことを検知して信号を送信する検知手段と、
前記検知手段が送信した前記信号に基づいて撮影者へ警告する警告手段と、
を備えたことを特徴とするカメラ。
【請求項２】
前記警告手段は、警告音又は警告光であって、警告音又は警告光の少なくとも一方によって撮影者に警告することを特徴とする請求項１記載のカメラ。
【請求項３】
前記警告手段は、警告表示であって、前記カメラに設けられた表示画面に表示される警告表示によって撮影者に警告することを特徴とする請求項１記載のカメラ。
【請求項４】
前記警告手段は、警告音声であって、前記カメラに設けられたスピーカーから発する警告音声によって撮影者に警告することを特徴とする請求項１記載のカメラ。
【請求項５】
前記検知手段は、前記ストロボをレンズ光軸方向に移動可能にするスライド手段と、前記ストロボの移動を検知する検知部材と、によって構成されることを特徴とする請求項１乃至請求項４の何れか一項に記載のカメラ。
【請求項６】
前記ストロボの前記照射面は、前記カメラの前記本体に対して突出して配置されることを特徴とする請求項１乃至請求項５の何れか一項に記載のカメラ。
【請求項７】
前記ストロボが取付けられる前記本体において前記照射面の周辺部は窪んでいることを特徴とする請求項１乃至請求項５の何れか一項に記載のカメラ。
【請求項８】
前記検知手段が送信した前記信号に基づいて、撮影指示を行うレリーズボタンの操作を無効にする制御手段が設けられたことを特徴とする請求項１乃至請求項７の何れか一項に記載のカメラ。
【発明の詳細な説明】
【技術分野】
【０００１】
本発明は、被写体に光を照射するストロボを備えたカメラに関する。
【背景技術】
【０００２】
カメラには、ストロボ近傍に配置されたストロボ指かかりセンサに指がかかると撮影者に異常を警告するものがある。（特許文献１）
詳細には、撮影する際に、ストロボの下方部に配置されたストロボ指かかりセンサに撮影者の指がかかると、被写体を確認する液晶ファインダに被写体が映らなくなり撮影が出来なくなる構造となっている。
【０００３】
これにより、ストロボに指がかかることによる撮影の失敗を防いでいる。
【特許文献１】特開２０００−３０７９４２公報
【発明の開示】
【発明が解決しようとする課題】
【０００４】
しかしながら、このカメラによれば、ストロボの下方部に配置されたストロボ指かかりセンサによって、ストロボの照射面に指がかかっているか否かを判断している。このため、センサには指がかかっているが、ストロボの照射面には指がかかっていない場合にも撮影ができない構造となっている。また、ストロボの照射面には指がかかっていているが、センサには指がかかっていない場合には撮影ができる構造となっている。
【０００５】
本発明は、上記事実を考慮し、ストロボの照射面に指がかかっていない場合には撮影ができ、ストロボの照射面に指がかかったときに撮影者に警告を発して撮影の失敗を防ぐカメラを提供することが目的である。
【課題を解決するための手段】
【０００６】
本発明の請求項１に係るカメラは、被写体に光を照射するストロボと、前記ストロボが取り付けられる本体と、前記ストロボの照射面が押圧されたことを検知して信号を送信する検知手段と、前記検知手段が送信した前記信号に基づいて撮影者へ警告する警告手段と、を備えたことを特徴とする。
【０００７】
上記構成によれば、撮影者が被写体をカメラで撮影する際に、ストロボの照射面に指がかかったことを照射面が押圧されることで検知手段が検知して信号を発信する。さらに、その信号に基づいて警告手段が撮影者に警告する。
【０００８】
従って、ストロボの照射面に指がかかっていない場合は警告が無く撮影ができ、ストロボの照射面に指がかかったときに撮影者に警告して撮影の失敗を防ぐことができる。
【０００９】
本発明の請求項２に係るカメラは、請求項１記載において、前記警告手段は、警告音又は警告光であって、警告音又は警告光の少なくとも一方によって撮影者に警告することを特徴とする。
【００１０】
上記構成によれば、警告手段としての警告音又は警告光によって撮影者に警告することにより、表示画面を確認しなくても撮影の失敗を確実に防ぐことができる。なお、警告音にはスピーカーを介した音やブザーの鳴動等よる警告が含まれ、また警告光にはランプの点灯や点滅等による警告が含まれる。
【００１１】
本発明の請求項３に係るカメラは、請求項１記載において、前記警告手段は、警告表示であって、前記カメラに設けられた表示画面に表示される警告表示によって撮影者に警告することを特徴とする。
【００１２】
上記構成によれば、表示画面に警告手段としての警告表示をすることで、騒音のなかでも撮影の失敗を確実に防ぐことができる。
【００１３】
本発明の請求項４に係るカメラは、請求項１記載において、前記警告手段は、警告音声であって、前記カメラに設けられたスピーカーから発する警告音声によって撮影者に警告することを特徴とする。
【００１４】
上記構成によれば、スピーカーから警告手段としての警告音声を発することで、警告の内容が判り撮影の失敗を確実に防ぐことができる。
【００１５】
本発明の請求項５に係るカメラは、請求項１乃至請求項４の何れか一項に記載において、前記検知手段は、前記ストロボをレンズ光軸方向に移動可能にするスライド手段と、前記ストロボの移動を検知する検知部材と、によって構成されることを特徴とする。
【００１６】
上記構成によれば、ストロボの照射面が押圧されると、ストロボはレンズ光軸方向の後方へスライド手段によって移動する。この移動を検知部材が検知して信号を発信する。
【００１７】
従って、ストロボの照射面に指がかかったことを簡単で機械的な方法で確実に検知して撮影者に警告を発して撮影の失敗を防ぐことができる。
【００１８】
本発明の請求項６に係るカメラは、請求項１乃至請求項５の何れか一項に記載において、前記ストロボの前記照射面は、前記カメラの前記本体に対して突出して配置されることを特徴とする。
【００１９】
上記構成によれば、ストロボの照射面は、カメラの本体に対して突出して配置されており、ストロボの照射面には、撮影者の指が容易に触れない構造となっている。
【００２０】
従って、ストロボの照射面に指がかかり難く撮影の失敗を防ぐことができる。
【００２１】
本発明の請求項７に係るカメラは、請求項１乃至請求項５の何れか一項に記載において、前記ストロボが取付けられる前記本体において前記照射面の周辺部は窪んでいることを特徴とする。
【００２２】
上記構成によれば、ストロボの照射面の周辺部が窪んでおり、撮影時に触感でストロボの照射面の位置が分かる構成となっている。
【００２３】
従って、ストロボの照射面に指がかかるのが防止され、撮影の失敗を防ぐことができる。
【００２４】
本発明の請求項８に係るカメラは、請求項１乃至請求項７の何れか一項に記載において、前記検知手段が送信した前記信号に基づいて、撮影指示を行うレリーズボタンの操作を無効にする制御手段が設けられたことを特徴とする。
【００２５】
上記構成によれば、ストロボの照射面が押圧されると検知手段が信号を発信する。その信号に基づいて、制御手段が撮影指示を行うレリーズボタンの操作を無効にする。
【００２６】
従って、ストロボの照射面に指がかかったときにレリーズボタンの操作を無効にして撮影の失敗をさらに確実防ぐことができる。
【発明の効果】
【００２７】
本発明のカメラによれば、ストロボの照射面に指がかかっていない場合は撮影ができ、ストロボの照射面に指がかかったときに撮影者に警告を発して撮影の失敗を防ぐことができる。
【発明を実施するための最良の形態】
【００２８】
本発明のカメラの第１実施形態を図１〜７に従って説明する。
（カメラの概要）
図６に示されるように第１実施形態にかかるカメラ１０は、カメラ本体１１と、カメラ本体１１の正面に被写体像を結像させるためのレンズ１２と、撮影時に必要に応じてＬＥＤを発光して被写体に光を照射する照射面１４Ａを備えたストロボ１４と、ストロボ１４により被写体に照射されかつ反射された光を検出するための調光センサ１５と、撮影する被写体の構図を決定するために用いられるファインダ１６と、が備えられている。また、カメラ本体１１の上面には、撮影を実行する際に押圧操作されるレリーズボタン１８が備えられている。さらに、カメラ本体１１の側面には、後述する警告手段としての警告音などの音を発するスピーカー２０が備えられている。
【００２９】
さらに、図７に示されるように、カメラ１０の背面（レンズ１２が装着されている面に対して反対側の面）には、撮影状態を表示する表示画面３６が設けられている。
【００３０】
なお、本実施の形態に係るカメラ１０のレリーズボタン１８は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
（ストロボについて）
図１に示されるように、ストロボ１４は箱形状をしており、カメラ本体１１の角部にはストロボ１４が納まる収納部１９が凹設されている。さらに、図４に示されるように、ストロボ１４の照射面１４Ａは、カメラ本体１１に対してレンズ光軸方向の前方に突出しており、ストロボ１４の照射面１４Ａに撮影者の指が容易に触れない構造となっている。また、照射面１４Ａと反対に位置する背面１４Ｂと収納部１９の立壁１９Ａとの間には、隙２２が設けられている。
【００３１】
また、収納部１９の立壁１９Ａの中央部には、検知部材としてのプッシュスイッチ２４が設けられている。このプッシュスイッチ２４は、コイルスプリング２５にて立壁１９Ａに対して突出する方向に付勢され、レンズ光軸方向前方より押圧されることで信号を発信し、押圧力が解除されるとコイルスプリングの付勢力でストッパー２４Ａが立壁１９Ａに当たり所定の位置に復帰する構成となっている。
【００３２】
図１に示されるように、ストロボ１４の底面１４Ｃには、スライド手段としてのスライド部２６が突出している。このスライド部２６が収納部１９の底部に設けられた上向き板１０８の溝部１１１と噛み合うことで、ストロボ１４は、レンズ光軸方向と平行に移動可能になっている。
【００３３】
詳細には、図２に示されるように、ストロボ１４の底面１４Ｃから突出したスライド部２６は、底面１４Ｃから下方に突出するくびれ部２６Ａと、最下部でカメラ１０の幅方向（図２に示す矢印Ａ方向）にくびれ部２６Ａから延びる引っ掛け部２６Ｂを備えている。
【００３４】
カメラ本体１１に設けられた溝部２８は、このスライド部２６の引っ掛け部２６Ｂが嵌る大きさに設定されている。溝部２８は、上向き板１０８で覆われストロボ１４の上方移動を防止し引っ掛け部２６Ｂのレンズ光軸方向の移動を可能とするスペースが形成されている。
【００３５】
図３に示されるように、くびれ部２６Ａの前方には、突起部２６Ｄが突設され突起部２６Ｄの両側が溝部１１１の壁面１１１Ａと当接するストッパー面２６Ｃとなっている。これにより、壁面１１１Ａがストッパー面２６Ｃとレンズ光軸方向で当たることでストロボ１４がレンズ軸方向の前方に移動するのが防止されている。
【００３６】
この構成により、ストロボ１４の照射面１４Ａが押圧されると、ストロボ１４の底面１４Ｃに設けられたスライド部２６が溝部２８と溝部１１１に沿ってレンズ光軸方向の後方に移動することで、プッシュスイッチ２４は背面１４Ｂに押圧されて信号を発信する。また、この信号に基づいて、表示画面３６に警告手段としての警告表示（ストロボを隠しています）を表示し、さらに、スピーカー２０より警告音が発生する構成となっている。
【００３７】
また、ストロボ１４に負荷された力が除去されると、プッシュスイッチ２４に設けられたコイルスプリング２５の付勢力でプッシュスイッチ２４及びストロボ１４は所定の位置に復帰する構成となっている。さらに、カメラ１０には撮影機能を制御する図示しない制御部が内蔵されている。
【００３８】
なお、図２に示されるように、スライド部２６と溝部２８の摺動面の溝部２８側には、スライド電極２９が設けられ、ストロボ１４の引っ掛け部２６Ｂの底面にはスライド電極２９と導通する電極３１が設けられている。また、ストロボ１４をカメラ本体１１に取り付ける際は、図１に示す溝部１１１が設けられた上向き板１０８をストロボ１４に取り付けてから、カメラ本体１１に上向き板１０８を接着固定する構成となっている。
【００３９】
次に図５、６を用いて本第１実施形態の作用を説明する。
【００４０】
はじめに、ステップ１００では、レリーズボタン１８が半押しされたか否かを制御部によって判定し、半押しと判定された場合には、ステップ２００へ移行する。
【００４１】
ステップ２００では、照射面１４Ａに指がかかっているか否かを、プッシュスイッチ２４が押圧されているか否かにて判定する。
【００４２】
ステップ２００で、プッシュスイッチ２４が押圧されていないと判定された場合には、ステップ３００へ移行する。ステップ３００では、ＡＥ・ＡＦ処理が行われ、ＡＥ（Ａｕｔｏ  Ｅｘｐｏｓｕｒｅ）・ＡＦ（Ａｕｔｏ  Ｆｏｃｕｓ）処理が終了するとステップ４００でレリーズボタン１８の全押しが許可される。
【００４３】
一方、ステップ２００で、プッシュスイッチ２４が押圧されていると判定された場合には、ステップ５００へ移行する。ステップ５００では、表示画面３６に警告手段としての警告表示（ストロボを隠しています）を表示する。その後、ステップ６００では、スピーカー２０より警告音を発生させ撮影者に警告する。警告音が発生した後、ステップ７００に移行してレリーズボタン１８の全押しが禁止される。
【００４４】
従って、ストロボ１４の照射面１４Ａに指がかかっていない場合は撮影ができ、ストロボ１４の照射面１４Ａに指がかかったときに撮影者に警告を発して撮影の失敗を防ぐことができる。
【００４５】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、警告音を発生させることにより、撮影者に警告を発して撮影の失敗を防いだが、振動部材等を設けて、その振動部材を振動させることにより撮影者に警告を発して撮影の失敗を防いでもよい。
【００４６】
また、上記実施形態では、スピーカーから警告音を発生させることにより、撮影者に警告を発して撮影の失敗を防いだが、スピーカーを設けずに、ＬＥＤ発光素子等の発光部材を設け、警告光として発光部材を発光させることにより撮影者に警告を発して撮影の失敗を防いでもよい。
【００４７】
次に本発明の画像形成装置の第２実施形態を図８〜１２に従って説明する。
【００４８】
なお、第１実施形態と同一部材については、同一符号を付してその説明を省略する。
【００４９】
図１２に示されるように、本第２実施形態では、第１実施形態のように、ストロボ１４の照射面１４Ａは、カメラ本体１１に対してレンズ光軸方向の前方に突出しておらず、それに代えて、カメラ本体１１におけるストロボ１４の照射面１４Ａの周辺部が窪んで凹部１１Ｂが設けられている。この凹部１１Ｂにより、ストロボ１４の照射面１４Ａには、撮影者の指が容易に触れない構造となっている。
【００５０】
さらに、図８に示されるように、第１実施形態のように、収納部１９における立壁１９Ａの中央部には、プッシュスイッチ２４（図１参照）が設けられておらず、それに代えて、カメラ本体１１におけるストロボ１４との摺動面である垂直側面１１Ｃに、検知部材としてのレバースイッチ３４が設けられている。
【００５１】
図１０に示されるように、レバースイッチ３４は、図示しないコイルスプリングによって垂直側面１１Ｃに対して直立するように付勢されている。また、ストロボ１４におけるカメラ本体１１の垂直側面１１Ｃに対向する側面１４Ｄには、凹部１４Ｅが設けられ、レバースイッチ３４の先端を後方に押圧する押圧面１４Ｆが設けられている。
【００５２】
図８、９に示されるように、ストロボ１４の底面１４Ｃには、スライド手段としてのスライド部３０が設けられている。スライド部３０は、台形状とされており底面１４Ｃから下方に向いて斜面３０Ａがカメラ１０の幅方向（図９に示すＡ方向）に広がって平面である下面３０Ｃへと達している。このようにスライド部３０は、あり継ぎ形状（建築用語）を呈している。さらに、収納部１９の底部には、スライド部３０が嵌って前後方向へ移動可能な係合口３２が形成された上向き板１１３が設けられている。
【００５３】
この構成により、ストロボ１４の照射面１４Ａが押圧されると、ストロボ１４の底面１４Ｃに設けられたスライド部３０が係合口３２に沿ってレンズ光軸方向の後方に移動して、レバースイッチ３４がストロボ１４の押圧面１４Ｆに押圧される。これによりレバースイッチ３４の先端部が図１０に示す点線のように後方に倒れることでレバースイッチ３４は信号を発信する。この信号に基づいて、表示画面に警告手段としての警告表示を表示し、さらに、スピーカー２０より警告音声が発生する構成となっている。
【００５４】
また、ストロボ１４に負荷された力が除去されると、レバースイッチ３４に設けられたコイルスプリングの付勢力でレバースイッチ３４及びストロボ１４は所定の位置に復帰する構成となっている。なお、図９に示されるようにスライド部３０とカメラ本体１１の摺動面のカメラ本体１１側には、スライド電極２９が設けられ、ストロボ１４のスライド部３０の底面にはスライド電極２９と導通する電極３１が設けられている。
【００５５】
次に図１１を用いて本第２実施形態の作用を説明する。
【００５６】
はじめに、ステップ１１０では、レリーズボタン１８が半押しされたか否かを図示しない制御部によって判定し、半押しと判定された場合には、ステップ２１０へ移行する。
【００５７】
ステップ２１０では、照射面１４Ａに指がかかっているか否かを、レバースイッチ３４が押圧されているか否かにて判定する。
【００５８】
ステップ２１０で、レバースイッチ３４が押圧されていないと判定された場合には、通常の操作が可能となる。
【００５９】
一方、ステップ２１０で、レバースイッチ３４が押圧されていると判定された場合には、ステップ５１０へ移行する。ステップ５１０では、表示画面に警告手段としての警告表示を表示する。その後、ステップ６１０では、スピーカー２０より警告音声「ストロボを隠しています」を発生させ撮影者に警告する。
【００６０】
その後、ステップ７１０では、再度レバースイッチ３４が押圧されているか否かを判定する。レバースイッチ３４が押圧されていると判定した場合には、状態は変わらず表示画面３６に警告表示が表示されている。なお、警告音声は、最初の一回だけである。また、ステップ７１０で、レバースイッチ３４が押圧されていないと判定した場合には、ステップ８１０へ移行する。
【００６１】
ステップ８１０では、表示画面３６の警告表示が消去され、その後、通常の作業が可能になる。
【００６２】
従って、ストロボ１４の照射面１４Ａに指がかかっていない場合は撮影ができ、ストロボ１４の照射面１４Ａに指がかかっているときに撮影者に警告を発して撮影の失敗を防ぐことができる。
【図面の簡単な説明】
【００６３】
【図１】本発明の第１実施形態に係るカメラを示し、カメラ本体とストロボを分解した分解斜視図である。
【図２】本発明の第１実施形態に係るカメラの図６における２−２線断面図である。
【図３】本発明の第１実施形態に係るカメラの図４における３−３線断面図である。
【図４】本発明の第１実施形態に係るカメラの図６における４−４線断面図である。
【図５】本発明の第１実施形態に係るカメラの動作を示すフロー図である。
【図６】本発明の第１実施形態に係るカメラを示した斜視図である。
【図７】本発明の第１実施形態に係るカメラを示し、カメラ背面から見た斜視図である。
【図８】本発明の第２実施形態に係るカメラを示し、カメラ本体とストロボを分解した分解斜視図である。
【図９】本発明の第２実施形態に係るカメラの図１１における８−８線断面図である。
【図１０】本発明の第２実施形態に係るカメラの図１１における９−９線断面図である。
【図１１】本発明の第２実施形態に係るカメラの動作を示すフロー図である。
【図１２】本発明の第２実施形態に係るカメラを示した斜視図である。
【符号の説明】
【００６４】
１０    カメラ
１１    カメラ本体（本体）
１４    ストロボ
１４Ａ  照射面
１８    レリーズボタン
２４    プッシュスイッチ（第１実施形態  検知部材）
２６    スライド部（第１実施形態  スライド手段）
３０    スライド部（第２実施形態  スライド手段）
３４    レバースイッチ（第２実施形態  検知部材）
３６    表示画面
【図１】
2007114268.tif 000003
【図２】
2007114268.tif 000004
【図３】
2007114268.tif 000005
【図４】
2007114268.tif 000006
【図５】
2007114268.tif 000007
【図６】
2007114268.tif 000008
【図７】
2007114268.tif 000009
【図８】
2007114268.tif 000010
【図９】
2007114268.tif 000011
【図１０】
2007114268.tif 000012
【図１１】
2007114268.tif 000013
【図１２】
2007114268.tif 000014